(57)【要約】      （修正有）【課題】多色筆記具において、インク交換にかかる手間と買い替えによる無駄をなくし、長時間の使用が可能となる多色筆記具を提供する。【解決手段】先端に筆記部を有し、内部にインクを収容した複数のリフィールと、リフィールを収納する軸筒と、軸筒の一方端に取り付けられ、リフィールの筆記部を軸筒の他方端より出し入れさせる操作部とを備え、使用頻度の高いインクを収容するリフィール５ａの太さを他のリフィールより大としインクの容量を大きくする。【選択図】図４
2014162138.tif 000002
【特許請求の範囲】
【請求項１】
先端に筆記部を有し、内部にインクを収容した複数のリフィールと、前記リフィールを収納する軸筒と、前記軸筒の一方端に取り付けられ、前記リフィールの前記筆記部を前記軸筒の他方端より出し入れさせる操作部とを備え、少なくとも2つの前記リフィールを異なる形状とし、内部のインク収納容量を異ならせたことを特徴とする筆記具。
【請求項２】
少なくとも２つの前記リフィールの形状を異ならせたことを特徴とする請求項１記載の筆記具。
【請求項３】
使用頻度の高い前記インクを収容する前記リフィールの太さを他の前記リフィールより大としたことを特徴とする請求項１または請求項２記載の筆記具。
【発明の詳細な説明】
【技術分野】
【０００１】
本発明は多色筆記具に関し、特にリフィール内のインク収容量とインク収容容器の形状を変化させた筆記具に関するものである。
【背景技術】
【０００２】
多色筆記具は、1本の筆記具で複数色のインクを使用することが可能で、インクの色によって別々に携帯するよりも嵩張らず、使用時の持ち替えの手間もなく、便利な筆記具である。
近年、多く使用されているこの多色筆記具は、例えば、特許文献１に示すように、大きく分けて、軸筒、押子、掛止部、リフィール、筆記先端部より構成されている。これら多色筆記具は３色あるいは、４色のインクを充填してなるリフィールを筒状の軸内部に平行に備え、各リフィールの後端に連結された押圧部の一つの押子を軸方向へスライド操作し、押子の掛止部を軸筒内に掛止させることで、同押子に対応する筆記先端部の突出状態が維持され、使用者の好みで、使用したいインクのリフィールに対応する先端部を突出状態にして筆記する。そして、掛止されていない他の一つの押子を軸方向へスライド操作すると、既に掛止されていた押子の内面に、後からスライド操作をされた押子が接触し、掛止部より外れて筆記先端部を没入させて、軸筒内に収容するように構成されているものである。
また、これら多色筆記具では、交換用のリフィールも販売されており、インクのなくなった色のリフィールを使用者が適時購入して、そのリフィールのみを適時交換できるようになっている。
【先行技術文献】
【特許文献】
【０００３】
【特許文献１】特許第3168200号公報
【発明の概要】
【発明が解決しようとする課題】
【０００４】
しかしながら、多色筆記具では、使用者によりリフィールの色毎の使用頻度は異なり、均等にインクが無くなる事は稀で、一部の色のインクばかりが無くなるという不具合があった。この場合、該当リフィールを交換すれば良いが、交換用のリフィールは、リフィール等に記載されている製品識別記号は非常に小さい文字であるため、読み取り難く、所持している多色筆記具と構造的に適合するかわかり難い。また、煩わしさから交換用リフィールを買い求めず、一部インクが使えない状態で使うことも多く、無くなったインクの色を使用できない不便さを感じることや、さらに、一部インクが無くなっても交換せずに処分し、新規に多色筆記具を購入することも珍しくはない。
このことは、使用頻度の低いインクばかりが残り、使い切らずに新しい筆記具を買い求めるため、資源の有効活用の観点からも問題があった。
【０００５】
そこで本発明は、使用頻度の高いインクは容量を大きくし、リフィール交換にかかる手間と買い替えによる無駄を無くし、長期間の使用が可能となる多色筆記具を提供することを目的とする。
【課題を解決するための手段】
【０００６】
本発明の第一の多色筆記具は、先端に筆記部を有し、内部にインクを収容した複数のリフィールと、前記リフィールを収納する軸筒と、前記軸筒の一方端に取り付けられ、前記リフィールの前記筆記部を前記軸筒の他方端より出し入れさせる操作部とを備え、少なくとも2つの前記リフィールを異なる形状とし、内部のインク収納容量を異ならせたことを特徴とするものである。
また、本発明の第二の多色筆記具は、第一の多色筆記具において、少なくとも２つの前記リフィールの形状を異ならせたことを特徴とするものである。
さらにまた、本発明の第三の多色筆記具は、第一または第二の多色筆記具において、使用頻度の高い前記インクを収容する前記リフィールの太さを他の前記リフィールより大としたことを特徴とするものである。
【発明の効果】
【０００７】
本発明の第一の多色筆記具によれば、リフィールのインク収納容器の形状とインク収容量を変化させることにより、使用頻度の高いインクは容量を大きくし、リフィール交換にかかる手間と買い替えによる無駄を無くし、長期間の使用が可能となる。
また、本発明の第二の多色筆記具によれば、リフィールの形状を限定することがないため、形状の多様性に優れ、軸筒内という限られた空間を有効に使用して、リフィール内に大容量のインクを収容することが可能となる。
さらに、本発明の第三の多色筆記具によれば、リフィールのインク収納容器の直径を変えるだけで使用頻度の高いインク容量は大きくすることができ、生産性に優れた多色筆記具を提供できる。
【図面の簡単な説明】
【０００８】
【図１】本発明の一実施の形態の多色筆記具の概観全体図
【図２】同多色筆記具の縦断面図
【図３】同多色筆記具の分解図
【図４】同多色筆記具のリフィールの構成図
【発明を実施するための形態】
【０００９】
以下、本発明の実施の形態を、図面を用いて説明する。図１は本発明に係る多色筆記具の概観全体図、図２は本発明に係る多色筆記具の縦断面図、図３は本発明に係る多色筆記具の分解図、図４は本発明に係るリフィールの構成図である。図１から図４において、１は前側軸筒、２は後側軸筒、３は操作部、４は押圧部、５ａ〜５ｃはリフィール、６は筆記部、７はバネ、８はガイド部である。
【００１０】
図１から図４を用いて本発明の実施形態について説明する。前側軸筒１は、内部に筆記部６と太さの異なるリフィール５ａ〜５ｃが収納されている。後側軸筒２は、内部に太さの異なるリフィール５ａ〜５ｃ、ガイド部８、バネ７ａ〜７ｃが収納されており、前側軸筒１とねじ構造にて接合される。接合された前側軸筒１と後側軸筒２が、いわゆる筆記具の外形となる。
【００１１】
操作部３は、後側軸筒２の一方端に形成されており、後端に複数の窓枠がある。この操作部３の窓枠からは押圧部４ａ〜４ｃの凸部が露出される。押圧部４ａ〜４ｃの凸部を下方へ操作することで、押圧部４ａ〜４ｃがスライドされる。押圧部４ａ〜４ｃは、リフィール５ａ〜５ｃと対応する。押圧部４ａ〜４ｃの一方端はリフィール５ａ〜５ｃに接続されるため、リフィール５ａ〜５ｃの径に合った突起部も有している。
リフィール５ａ〜５ｃは、それぞれ先端に同じ太さの筆記部６を有している。ここでは、使用頻度の高いリフィールをリフィール５ａとし、インク収容量が大となる構造をとっているため、他のリフィール５ｂ、５ｃよりも収容できるインク量が多い。
バネ７ａ〜７ｃは、使用後の筆記部６を軸筒１、２に収納するとき、反発力を与えるものである。リフィール５ａ〜５ｃに対応して使用されるため、バネ７ａ〜７ｃは、リフィール５ａ〜５ｃの外径や形状に対応しており、内径は大でかつ相似形状となっている。ガイド部８は、軸筒内でリフィール５ａ〜５ｃの位置決めを行うためのものであり、リフィール５ａ〜５ｃのサイズに対応してガイド穴が形成されている。
【００１２】
次に本発明のリフィールについて図４を用いて説明する。ここでは、リフィール５ａは５ｂ、５ｃと比較して、径が大きいことから、より多くのインクを収容できる構造となっている。リフィール５ａの形状は５ｂ、５ｃと異なるが、筆記部については、５ａ〜５ｃ全て同じ形状となっているため、前側軸筒１の先端の形状は筆記部６が出没でき、筆記に適する一般的なものでよい。
なお、図４にはリフィール５ａ〜５ｃの円筒形状を示しているが、形状については、図面に捉われないことは言うまでも無く、使用頻度の高いインクのリフィール５ａはインクを多く収容可能な形状を選択でき、リフィールの断面は楕円形、半円形等でも良く、軸筒内に収容可能な形状であれば限定されない。
【００１３】
さらに、動作について説明する。先ず、押圧部４ａ〜４ｃをスライドすることにより、対応するリフィール５ａ〜５ｃがガイド部８の軸穴を通り、前側軸筒１の先端から筆記部６が突出される。ひとつのインクを使用した後に他の色のインクを使用したいときは、その色の押圧部４ａ〜４ｃの凸部を同様に下方へスライドさせる。その押し出された押圧部４ａ〜４ｃが、既に下方に押し出されている別の押圧部４ａ〜４ｃと接触し、内側の形状の溝により他方を上に押し返される。その際にバネ7ａ〜７ｃの復元力が作用し、使用済みのリフィール5ａ〜５ｃが元の位置に押し戻される。
ここでは、示していないが、各部の操作、構成については、一般的な多色筆記具と同様であり、発明の本質でないことから省略する。
【００１４】
本発明のリフィール5ａ〜５ｃは、多色筆記具用として用いるものであり、少なくとも２つの異なる各リフィール５ｂ、５ｃと連動した押圧部４を操作することにより、筆記部６を前側軸筒１の先端より選択的に出没可能な構成を有するものであり、筆記部６の出没機構はノック式に限定されるものではない。
【産業上の利用可能性】
【００１５】
本発明の多色筆記具は、使用頻度の高い色のインク容量を多くすることで、筆記距離が長くなり、長期間の使用が可能となり、使用頻度の低い色のインク量との残量の差が小さくなり、バランスよくインクを消費できるので、広く文房具に適用されるものである。
【符号の説明】
【００１６】
１  前側軸筒
２  後側軸筒
３  操作部
４ａ〜４ｃ  押圧部
５ａ〜５ｃ  リフィール
６  筆記部
７ａ〜７ｃ  バネ
８  ガイド部
【図１】
2014162138.tif 000003
【図２】
2014162138.tif 000004
【図３】
2014162138.tif 000005
【図４】
2014162138.tif 000006